(57)【要約】【課題】小型、低価格な多灯用のインバータトランスを提供する。【解決手段】略ロの字状の外側コア２と、該外側コア２の内側に略Ｉ形状の内側コア３ａ、３ｂ、３ｃを備え、該コアには一次巻線Ｗ１と二次側巻線Ｗ２がそれぞれ卷回されると共に、前記コア３ａ、３ｃにそれぞれに卷回されている一次巻線Ｗ１に流れる電流によって当該コア３ａ、３ｃそれぞれに発生される磁束の向きが互いに減算される方向に発生される。コア３ｂに発生される磁束の向きが互いに減算される方向に発生されると共にコア３ａ、３ｃに発生される磁束とコア３ｂに発生される磁束とがコア３ｂにおいて互いに加算される方向にそれぞれ発生される。また、前記コア３ａ、３ｂ、３ｃに卷回されている二次巻線Ｗ２に誘起される電圧の極性は同一極性となるように卷回されている。【選択図】        図１
2004214488.tif 000002
【特許請求の範囲】
【請求項１】
略ロの字状の外側コアと、該外側コアの内側に配置して所定の漏洩インダクタンスをもつように接合される略Ｉ形状の複数個の内側コアを備え、該複数個の内側コアには一次巻線と二次巻線がそれぞれ卷回されると共に、第１グループを構成する前記複数個の内側コアの互いに隣り合わない内側コアにそれぞれに卷回されている一次巻線に流れる電流によって当該第１グループのコアそれぞれに発生される磁束の向きは互いに同方向であり、第２グループを構成する前記第１グループのコアに隣り合うコアに発生される磁束の向きは、前記第１グループのコアに発生される磁束と互いに逆方向であり、前記第１グループ及び第２グループのコアに卷回されている二次巻線に誘起される電圧の極性が同一極性であることを特徴とするインバータトランス。
【請求項２】
前記第１グループと第２グループのコアに卷回されている二次巻線は、それぞれ互いに逆方向に卷回されていると共に、前記第１グループと第２グループのコアに卷回されている一次巻線には前記二次巻線に誘起される電圧の極性が同一極性となる方向に電圧が印加されることを特徴とする請求項１に記載のインバータトランス。
【請求項３】
前記第１グループ及び第２グループのコアに卷回されている一次巻線はそれぞれ同一方向に卷回されていると共に、前記第１グループと第２グループのコアに卷回されている一次巻線に印加される電圧は、第１グループと第２グループとで逆極性であることを特徴とする請求項１又は２に記載のインバータトランス。
【請求項４】
前記第１グループと第２グループのコアに卷回されている一次巻線は、それぞれ互いに逆方向に卷回されており、前記第１グループと第２グループのコアのに卷回されている一次巻線に印加される電圧は、第１グループと第２グループとで同一極性であることを特徴とする請求項１又は２に記載のインバータトランス。
【請求項５】
前記複数個の内側コアの数は、３以上であることを特徴とする請求項１から４の何れかに記載のインバータトランス。
【請求項６】
前記内側コアの横断面積はそれぞれ同一であると共に、略ロの字状の外側コアの前記内側コアと平行な辺の横断面積は、前記内側コアの横断面積より小さいことを特徴とする請求項１から５の何れかに記載のインバータトランス。
【発明の詳細な説明】
【０００１】
【発明の属する技術分野】
本発明は、インバータトランスに関し、特に漏洩インダクタンスを利用して高電圧を得るのに適したインバータトランスに関するものである。
【０００２】
【従来の技術】
近年、パーソナルコンピュータ等のディスプレイ装置として、陰極線管、所謂ＣＲＴに代り、液晶ディスプレイ（以下、ＬＣＤと略称する。）が広く使用されるようになってきた。このＬＣＤはＣＲＴと異なり、発光機能を持たないので、バックライト方式やフロントライト方式の画面照明用の光源を必要としている。このような光源には冷陰極蛍光管（以下、ＣＣＦＬという。）を使用し、それらＣＣＦＬを同時に放電、点灯させているのが一般的である。
【０００３】
一般に、この種のＣＣＦＬの放電、点灯には、放電開始時に６０ｋＨｚ、１６００Ｖ程度の高周波電圧を発生させるインバータ回路が用いられる。このインバータ回路はＣＣＦＬの放電後、インバータトランスの二次側電圧をＣＣＦＬの放電を維持するのに必要な６００Ｖ程度の電圧まで下げる。このようなインバータ回路に使用されるインバータトランスとしては、従来から磁心にＩ形状コアを用いた開磁路構造のものと、磁心を閉磁路構造としたものとがある。
【０００４】
開磁路構造のものにあっては、インバータトランスの個数がＣＣＦＬの本数と１対１の関係で増加すると、インバータトランス全体として大型化し、又、コストの上昇を招くという問題点があった。また、閉磁路構造のものにあっては、１つのインバータトランスで複数本のＣＣＦＬを放電させ得るが、ＣＣＦＬ間で放電動作にばらつきを生じさせたり、過電流によりインバータトランスを損傷させる等の問題があった。ＣＣＦＬ間での放電動作のばらつきには、各ＣＣＦＬにバラストコンデンサを直列に挿入するという対処方法があるが、これによる電力効率の低下、ランプ電流のバラツキを大きくする。更に部品点数やコストの増大を招くという問題があった。
【０００５】
このような問題点を解決するインバータトランスとして、例えば、図９に示すように、略ロ字形状のコア（以下、ロ字状コアという。）２１及びこのロ字状コア２１と共に磁心２２を構成する２本のＩ形状の内側コア２３ａ、２３ｂを備えたインバータトランスがある（例えば特許文献１参照。）。かかるインバータトランスは、１つの一次巻線２４、２つの二次巻線２５ａ、２５ｂ及び２つの二次巻線に対応して設けられ一次巻線２４及び２つの二次巻線２５ａ、２５ｂを巻回する２本の矩形筒状のボビン２６ａ、２６ｂとから大略構成されている。一次巻線２４に流す電流により発生した磁束は、Ｉ形状の内側コア２３ａ、２３ｂを同一方向に流れるため、それぞれの磁束は互いに干渉することなく、ロ字状コア２１の外側の磁路２１ａ、２１ｂに流れる。このため、一次巻線２４が共通でありながら、それぞれ独立した二次巻線２５ａ、２５ｂをもつので、同時に２本のＣＣＦＬを駆動することができる。
【０００６】
【特許文献１】
特開２００２−３５３０４４
【０００７】
【発明が解決しようとする課題】
しかし、前記インバータトランスは、一次巻線２４が共通でありながら、それぞれ独立した複数個の二次巻線２５ａ、２５ｂをもつので、２本のＣＣＦＬを点灯する上で、従来技術で必要とされた２個のインバータトランスの設置、あるいは２個のバラストコンデンサの設置を行なうことなく、同時に２本のＣＣＦＬを点灯することができるが、以下のような問題点があった。即ち、近年サイドエッジ型のＬＣＤでは６灯タイプのものが使用され、ＬＣＤの上辺に３灯、下辺に３灯のＣＣＦＬを必要とする。この場合、ＣＣＦＬを６灯点灯する場合には前記特許文献１に開示されたインバータトランスは３個必要になる。そのためにコスト増になると共に、機器の小型化が図れないという問題点がある。
【０００８】
本発明は、かかる問題を解決して小型、低価格な多灯用のインバータトランスを提供することを目的としてなされたものである。
【０００９】
【課題を解決するための手段】
本発明は上記目的を達成するために請求項１記載のインバータトランスは、略ロの字状の外側コアと、該外側コアの内側に配置して所定の漏洩インダクタンスをもつように接合される略Ｉ形状の複数個の内側コアを備え、該複数個の内側コアには一次巻線と二次巻線がそれぞれ卷回されると共に、第１グループを構成する前記複数個の内側コアの互いに隣り合わない内側コアにそれぞれに卷回されている一次巻線に流れる電流によって当該第１グループのコアそれぞれに発生される磁束の向きは互いに同方向であり、第２グループを構成する前記第１グループのコアに隣り合うコアに発生される磁束の向きは、前記第１グループのコアに発生される磁束と互いに逆方向であり、前記第１グループ及び第２グループのコアに卷回されている二次巻線に誘起される電圧の極性が同一極性であることを特徴とする。
【００１０】
請求項２記載のインバータトランスは、請求項１記載のインバータトランスにおいて、前記第１グループと第２グループのコアに卷回されている二次巻線は、それぞれ互いに逆方向に卷回されていると共に、前記第１グループと第２グループのコアに卷回されている一次巻線には前記二次巻線に誘起される電圧の極性が同一極性となる方向に電圧が印加されることを特徴とする。
【００１１】
請求項３記載のインバータトランスは、請求項１又は２に記載のインバータトランスにあいて、前記第１グループ及び第２グループのコアのコアに卷回されている一次巻線はそれぞれ同一方向に卷回されていると共に、前記第１グループと第２グループのコアに卷回されている一次巻線に印加される電圧は、第１グループと第２グループとで逆極性であることを特徴とする。
【００１２】
請求項４記載のインバータトランスは、請求項１又は２に記載のインバータトランスにおいて、前記第１グループと第２グループのコアに卷回されている一次巻線は、それぞれ互いに逆方向に卷回されており、前記第１グループと第２グループのコアのに卷回されている一次巻線に印加される電圧は、第１グループと第２グループとで同一極性であることを特徴とする。
【００１３】
請求項５記載のインバータトランスは、請求項１から４の何れかに記載のインバータトランスにおいて、前記複数個の内側コアの数は、３以上であることを特徴とする。
【００１４】
請求項６記載のインバータトランスは、請求項１から５の何れかに記載のインバータトランスにおいて、前記内側コアの横断面積はそれぞれ同一であると共に、略ロの字状の外側コアの前記内側コアと平行な辺の横断面積は、前記内側コアの横断面積より小さいことを特徴とする。
【００１５】
【発明の実施の形態】
図１により本発明の第１の実施形態を説明する。第１の実施形態におけるインバータトランス１は、ＣＣＦＬを３灯点灯するインバータトランスである。略ロの字状の外側コア２と、該外側コア２の内側に配置して所定の漏洩インダクタンスをもつように接合される略Ｉ形状の３個の内側コア３ａ、３ｂ、３ｃを備えている。該３個の内側コア３ａ、３ｂ、３ｃには一次巻線Ｗ１と二次巻線Ｗ２がそれぞれ卷回されている。
【００１６】
前記３個の内側コアの互いに隣り合わない内側コア３ａ、３ｃ（第１グループのコア）にそれぞれに卷回されている一次巻線Ｗ１に流れる電流によって当該第１グループのコア３ａ、３ｃそれぞれに発生される磁束Φ１、Φ３の向きは互いに同方向である。前記第１グループのコアに発生される磁束Φ１、Φ３と第２グループのコア３ｂに発生される磁束Φ２とは互いに逆方向である。
【００１７】
前記のように各磁束Φ１、Φ２、Φ３を発生する一次巻線Ｗ１は、図１（ｂ）、図１（ｃ）に示すように、２種類ある。即ち、図１（ｂ）に示すように、一次巻線の卷回方向を全て同一とし、前記第１グループの一次巻線と第２グループに印加される電圧ｅの極性を逆にする方法がある。また、図１（ｃ）に示すように、第１グループと第２グループの一次巻線の卷回方向を互いに逆方向とし、第１グループの一次巻線と第２グループの一次巻線に印加される電圧ｅの極性を同一にする方法がある。何れの場合も第１グループのコア３ａ、３ｃに隣り合うコア３ｂ（第２グループのコア）に発生される磁束Φ２の向きは、前記第１グループのコア３ａ、３ｃに発生される磁束Φ１、Φ３が当該第２グループのコア３ｂにおいて互いに逆方向となる。
【００１８】
前記のような方向に各磁束が発生されると、該磁束によって前記第１グループのコア３ａ、３ｃに卷回されている二次巻線Ｗ２の端子ｃ、ｄ間に誘起される電圧の極性は同一極性になる。また、第２グループのコア３ｂに卷回されている二次巻線Ｗ２は、磁束の方向が逆になるが、巻線の卷回方向が前記第１グループとは逆方向のため、その端子ｃ、ｄ間に誘起される電圧の極性は第１グループと同一極性になる。
【００１９】
また、一次巻線Ｗ１は図１（ｂ）、図１（ｃ）に示すように、それぞれ並列に接続してもよく、あるいはそれぞれを直列に接続してもよい。かかる場合においても前記のように各磁束が発生されるように一次巻線の方向、あるいは印加電圧の極性が定められる。
【００２０】
前述したように、インバータトランスの二次巻線にはＣＣＦＬの点灯時に１６００Ｖ程度の高周波電圧が、又、ＣＣＦＬの放電を維持するのに６００Ｖ程度の電圧が必要である。しかし、前述したように一次巻線と二次巻線の巻線方向及び、一次巻線の印加電圧の極性を定めることにより、二次巻線には同一方向の電圧が誘起され、二次巻線間に印加される電圧の差がなくなり、インバータトランスの絶縁耐圧を低くすることができる。また、１つのインバータトランスで３灯のＣＣＦＬが同時に点灯でき、部品点数が削減されると共に、装置の小型化が図れ、ひいては装置の低廉化を図ることができる。
【００２１】
図２により本発明の第２の実施形態における原理を説明する。第２の実施形態におけるインバータトランス１は、ＣＣＦＬを６灯点灯するインバータトランスである。略ロの字状の外側コア２と、該外側コア２の内側に配置して所定の漏洩インダクタンスをもつように接合される略Ｉ形状の６個の内側コア３ａ、３ｂ、３ｃ、３ｄ、３ｅ、３ｆを備えている。該６個の内側コア３ａ、３ｂ、３ｃ、３ｄ、３ｅ、３ｆには一次巻線Ｗ１と二次巻線Ｗ２がそれぞれ卷回されている。
【００２２】
前記６個の内側コアの互いに隣り合わない内側コア３ａ、３ｃ、３ｅ（第１グループのコア）にそれぞれに卷回されている一次巻線Ｗ１に流れる電流によって当該第１グループのコア３ａ、３ｃ、３ｅそれぞれに発生される磁束Φ１、Φ３、Φ５の向きは互いに同方向である。前記第１グループのコア３ａ、３ｃ、３ｅに隣り合うコア３ｂ、３ｄ、３ｆ（第２グループのコア）に発生される磁束の向きは、互いに同方向であると共に前記第１グループのコア３ａ、３ｃ、３ｅに発生される磁束Φ１、Φ３、Φ５と第２グループのコア３ｂ、３ｄ、３ｆに発生される磁束Φ２、Φ４、Φ６とが当該第２グループのコア３ｂ、３ｄ、３ｆにおいて互いに逆方向である。
【００２３】
前記のように各磁束Φ１、Φ２、Φ３、Φ４、Φ５、Φ６を発生する一次巻線Ｗ１は、図１（ｂ）、図１（ｃ）に示したと同様に、２種類ある。但し図２においては、図１（ｂ）に示したのと同様の、一次巻線の卷回方向を全て同一とし、前記第１グループの一次巻線と第２グループに印加される電圧ｅの極性を逆にする方法を図示してあり、図１（ｃ）に示したような、第１グループと第２グループの一次巻線の卷回方向を互いに逆方向とし、第１グループの一次巻線と第２グループの一次巻線に印加される電圧ｅの極性を同一にする方法は図示を省略してある。何れの場合も第１グループのコア３ａ、３ｃ、３ｅに隣り合う第２グループのコア３ｂ、３ｄ、３ｆに発生される磁束Φ２、Φ４、Φ６の向きは、前記第１グループのコア３ａ、３ｃ、３ｅに発生される磁束Φ１、Φ３、Φ５とは互いに逆方向となる。
【００２４】
前記のような方向に各磁束が発生されると、該磁束によって前記第１グループのコア３ａ、３ｃ、３ｅに卷回されている二次巻線Ｗ２の端子ｃ、ｄ間に誘起される電圧の極性は同一極性になる。また、第２グループのコア３ｂ、３ｄ、３ｆに卷回されている二次巻線Ｗ２は、磁束の方向が逆になるが、巻線の卷回方向が前記第１グループとは逆方向のため、その端子ｃ、ｄ間に誘起される電圧の極性は第１グループと同一極性になる。
【００２５】
また、一次巻線Ｗ１は図２（ｂ）あるいは図１（ｂ）、図１（ｃ）に示したのと同様に、それぞれ並列に接続してもよく、あるいはそれぞれを直列に接続してもよい。かかる場合においても前記のように各磁束が発生されるように一次巻線の方向、あるいは印加電圧の極性が定められる。
【００２６】
なお、前記第１の実施形態及び第２の実施形態において、外側コア２の内側に配置して所定の漏洩インダクタンスをもつように接合される略Ｉ形状の内側コアの数は、それぞれ３本及び６本として説明したが、下記の関係を満たすものであって３本以上の数であれば、これ以外であってもよい。即ち、前記複数個の内側コアの互いに隣り合わない内側コア（第１グループのコア）にそれぞれに卷回されている一次巻線に流れる電流によって当該第１グループのコアそれぞれに発生される磁束の向きは互いに同方向である。また、前記第１グループのコアに隣り合うコア（第２グループのコア）に発生される磁束の向きは互いに同方向であると共に前記第１グループのコアに発生される磁束と第２グループのコアに発生される磁束とが当該第２グループのコアにおいて互いに逆方向である。更に、前記第１グループ及び第２グループのコアに卷回されている二次巻線に誘起される電圧の極性が同一極性である。
【００２７】
以下、図３、図４、図５により本発明の第１実施の形態に係るインバータトランスの構造を説明する。図３、図４、図５におけるインバータトランスの巻線の極性は、図１に示したものと同一にして実現できるのでその説明を省略する。図３は、本発明の第１実施の形態に係るインバータトランス２０の組立工程を理解するためにインバータトランス２０の分解斜視図である。インバータトランス２０は、略ロ字形状のコア（以下、ロ字状コアという。）２１及びこのロ字状コア２１と共に磁心２２を構成する３本のＩ形状の内側コア２３（２３ａ、２３ｂ、２３ｃ）と、３つの一次巻線２４（２４ａ、２４ｂ、２４ｃ）と、３つの二次巻線２５（２５ａ、２５ｂ、２５ｃ）と、該３つの二次巻線２５（２５ａ、２５ｂ、２５ｃ）に対応して設けられ３つの一次巻線２４（２４ａ、２４ｂ、２４ｃ）と３つの二次巻線２５（２５ａ、２５ｂ、２５ｃ）を巻回する３本の矩形筒状のボビン２６（２６ａ、２６ｂ、２６ｃ）とから大略構成されている。
【００２８】
インバータトランス２０は、ボビン２６（２６ａ、２６ｂ、２６ｃ）にＩ形状の内側コア２３（２３ａ、２３ｂ、２３ｃ）をそれぞれ挿入し、Ｉ形状の内側コア２３（２３ａ、２３ｂ、２３ｃ）の上に後述する非磁性材のシート２７を載置し、さらに、この上に、ロ字状コア２１を載置して組立てられる。ロ字状コア２１は、２つの四角柱状の短辺部２８、及び２つの四角柱状の長辺部２９からなっている。前記内側コア２３と長辺部２９とは互いに平行である。Ｉ形状の内側コア２３（２３ａ、２３ｂ、２３ｃ）は、各一次巻線（２４ａ、２４ｂ、２４ｃ）と、３つの二次巻線２５（２５ａ、２５ｂ、２５ｃ）とが相互に均等の特性をもって所定の漏洩インダクタンスをもつように磁気的に結合するように、前記非磁性材のシート２７を介してロ字状コア２１に電磁気的に同等な箇所に位置決めして固定されている。
【００２９】
３本のボビン２６（２６ａ、２６ｂ、２６ｃ）は、同一形状に構成されている。３本のボビン２６（２６ａ、２６ｂ、２６ｃ）のうち、ボビン２６ａを第１ボビンといい、また、ボビン２６ｂを第２ボビン更に、ボビン２６ｃを第３ボビンという。本実施の形態では、ロ字状コア２１が外側コアを構成し、Ｉ形状の内側コア２３（２３ａ、２３ｂ、２３ｃ）が内側コアを構成している。３つの二次巻線２５ａ、２５ｂ、２５ｃ及び一次巻線２４（２４ａ、２４ｂ、２４ｃ）は、第１、第２、第３ボビン２６ａ、２６ｂ、２６ｃにそれぞれ巻回されている。
【００３０】
３本のＩ形状の内側コア２３ａ，２３ｂ、２３ｃは、後述するようにロ字状コア２１に非磁性材のシート２７を介して接合され所定の漏洩インダクタンスをもつようにされている。ロ字状コア２１の両短辺部２８の一面側には一次巻線端子台３８ａ、二次巻線端子台３９ａが嵌合される溝（以下、端子台用嵌合溝という。）３０が、それぞれ形成されている。前記内側コア２３ａ，２３ｂ、２３ｃの巻線が卷回されている部分のコアの横断面積はそれぞれ同一であると共に、ロ字状コア２１の長辺部２９の横断面積は、前記内側コア２３ａ，２３ｂ、２３ｃの横断面積より小さい。その理由は、長辺部２９を流れる磁束は隣り合う内側コアに分流するため磁束の量は内側コアよりも少なく、長辺部２９の磁気飽和が生じにくい。そのために長辺部２９の横断面積を減少でき、インバータトランスの小型化に効果がある。
【００３１】
一次巻線端子台３８ａには、一次巻線２４から一次巻線端子ピン４０ａへ接続するリード線（図示省略）用の孔部（図示省略）または溝（図示省略）が設けられている。前記リード線は絶縁物で覆われた状態で孔部に通されるかまたは溝に埋め込まれ、充分な沿面距離及び絶縁性を保つようにしている。二次巻線２５の一端は二次巻線端子ピン４０ａに接続される。同様に二次巻線端子台３９ａには、二次巻線２５から二次巻線ピン４１ａへ接続するリード線（図示省略）用の孔部（図示省略）または溝（図示省略）が設けられている。前記リード線は絶縁物で覆われた状態で孔部に通されるかまたは溝に埋め込まれ、充分な沿面距離及び絶縁性を保つようにしている。
【００３２】
二次巻線２５ａは、第１ボビン２６ａ（Ｉ形状の内側コア２３ａ）の軸方向に沿って巻回されるが、高電圧を発生するため、その軸方向で複数個（本実施の形態では５つ）のセクションに分割され、各セクション間には絶縁性の複数個の仕切板５６ａが設けられ、沿面放電の阻止に必要な沿面距離が保持されている。仕切板５６ａには図示しない切欠が形成されており、仕切板５６ａを間にした両セクションの二次巻線２５ａは、この切欠を通して接続されている。他の二次巻線２５ｂ、２５ｃについても同様である。
【００３３】
第１ボビン２６ａの一次巻線２４ａと二次巻線２５ａとの間には仕切板５７ａが設けられており、他のボビン２６ｂ、２６ｃについても同様である。
【００３４】
なお、本発明の前記第２実施の形態に係るインバータトランスも同様な構造で実現できるが、その詳細な説明を省略する。かかる場合においてはロ字状コア２１及びこのロ字状コア２１と共に磁心２２を構成するＩ形状コアを６本とする。そして、前記６つの一次巻線と、６つの二次巻線と、該６つの二次巻線に対応して設けられ６つの一次巻線と、前記６つの二次巻線を巻回する６本の矩形筒状のボビンとで大略構成する。
【００３５】
図６、図７により前記第１実施の形態に係るインバータトランスの特性について説明する。図６、図７における巻線の極性は、図１（ｂ）に示したのと同一である。即ち、内側コア３ａ、３ｂ、３ｃに卷回されている一次巻線Ｗ１は全て同方向に卷回されており、内側コア３ｂの二次巻線Ｗ２は、内側コア３ａ、３ｃとは逆方向に卷回されている。又、図６における符号Ａ、Ｂ、Ｃは、図１（ａ）における内側コア３ａ、３ｂ、３ｃに卷回されている一次巻線Ｗ１と二次巻線Ｗ２に相当する。即ち、入力Ａ、Ｂ、Ｃとは内側コア３ａ、３ｂ、３ｃに卷回されている一次巻線Ｗ１それぞれに印加される一次電圧である。また、回路Ａ、Ｂ、Ｃとは内側コア３ａ、３ｂ、３ｃに卷回されている二次巻線Ｗ２それぞれに誘起される二次電圧である。また、負荷は同一定格のＣＣＦＬであって、一次巻線Ｗ１それぞれに印加される一次電圧の極性は、内側コア３ｂのみ逆極性である。
【００３６】
内側コア３ａ、３ｃに卷回されている一次巻線Ｗ１の巻き数は２３回、内側コア３ｂに卷回されている一次巻線Ｗ１の巻き数は２５回、二次巻線Ｗ２の巻き数は全て２４００回である。また、一次巻線Ｗ１に印加される一次電圧は８．８Ｖｒｍｓ、周波数は５５ｋＨｚ（図６のみ）である。
【００３７】
図６において、項番７は全ての一次巻線Ｗ１に前述した電圧を印加した時の、無負荷時の出力電圧と有負荷時の出力電流のばらつきを示したものである。第１グループのコアそれぞれに発生される磁束の向きを互いに同方向に、第２グループのコアに発生される磁束の向きを互いに同方向にすると共に、前記第１グループのコアに発生される磁束と第２グループのコアに発生される磁束とが当該第２グループのコアにおいて互いに逆方向とすることで無負荷時の出力電圧と有負荷時の出力電流のばらつきが低減できる。
【００３８】
また、同図６において、項番１から６は参考データであり、内側コア３ａ、３ｂ、３ｃの何れか１つ又は２つの一次巻線Ｗ１のみに前述した電圧を印加した時の、無負荷時の出力電圧と有負荷時の出力電流のばらつきを示したものである。無負荷時には一次巻線に電圧の印加されていない内側コアの二次巻線には他の内側のコアからの磁束によって電圧が誘起される場合がある。しかし、内側コアは所定の漏洩インダクタンスをもつように外側コアに接合されており、ＣＣＦＬの点灯に必要な誘起電圧は発生せず電流は流れないことがわかる。
【００３９】
図７に示すように、一次巻線に印加される電圧の周波数を変化してもランプ▲１▼、▲２▼、▲３▼に流れる電流のばらつきが少なく、駆動周波数変動に強い特性を有し、製品の品質を向上させる効果がある。また、このことにより、設計の自由度が増すと共に、部品の選択余地が増え、低価格化に効果がある。
【００４０】
図６、図７から明らかなように、第１実施の形態に係るインバータトランスは、内側コア３ｂに卷回されている一次巻線Ｗ１と二次巻線Ｗ２を内側コア３ａ、３ｃに卷回されている一次巻線Ｗ１と二次巻線Ｗ２の卷回方向とは逆方向に卷回し、一次巻線Ｗ１それぞれに印加される一次電圧の極性を全て同極性とすることにより、前述した効果が現れる。
【００４１】
【発明の効果】
本発明のインバータトランスによれば、１つのインバータトランスにより多数のＣＣＦＬを点灯することができる。また、二次巻線には同一方向の電圧が誘起され、二次巻線間に印加される電圧の差がなくなり、インバータトランスの絶縁耐圧を低くすることができる。その結果、部品点数が削減されると共に、装置の小型化が図れ、ひいては装置の低廉化を図ることができる。
【図面の簡単な説明】
【図１】本発明の第１の実施形態を説明する図であって、図１（ａ）は、巻線の状態を説明する図、図１（ｂ）及び図１（ｃ）は、巻線の極性と印加電圧との関係を説明する図である。
【図２】本発明の第２の実施形態を説明する説明図であって、図２（ａ）は、巻線の状態を説明する図、図２（ｂ）は、巻線の極性と印加電圧との関係を説明する図である。
【図３】本発明の第１の実施形態における構造を示す分解斜視図である。
【図４】本発明の第１の実施形態における構造を示す斜視図である。
【図５】本発明の第１の実施形態における構造を示す上面図である。
【図６】本発明の第１の実施形態における特性図であって、無負荷時の出力電圧と有負荷時の出力電流のばらつきを示したものである。
【図７】本発明の第１の実施形態における特性図であって、印加する電圧の周波数を変化させた時のランプ▲１▼、▲２▼、▲３▼の出力電流のばらつきを示したものである。
【図８】従来のインバータトランスの構造を示す分解斜視図である。
【符号の説明】
１、２０  インバータトランス
２、  外側コア
３ａ、３ｂ、３ｃ、３ｄ、３ｅ、３ｆ  内側コア
２３（２３ａ、２３ｂ、２３ｃ）  内側コア
２４（２４ａ、２４ｂ、２４ｃ）、Ｗ１  一次巻線
２５（２５ａ、２５ｂ、２５ｃ）、Ｗ２  二次巻線
【図１】
2004214488.tif 000003
【図２】
2004214488.tif 000004
【図３】
2004214488.tif 000005
【図４】
2004214488.tif 000006
【図５】
2004214488.tif 000007
【図６】
2004214488.tif 000008
【図７】
2004214488.tif 000009
【図８】
2004214488.tif 000010